(57)【要約】【課題】エンディングノートを性別に応じて異なる色彩等として、円滑に葬儀を行う。【解決手段】肖像メッセージ分冊１の内側の片方の面には枠台紙３が接合され、上縁の挿通口４から、自分の葬儀で使用してほしい、肖像写真５などが入れられて収納される。残りの片方の面には、楕円形の収納穴９が開いた方形台紙８が接合され、この収納穴９には、自分の葬儀で朗読してほしいメッセージ手紙１０が収納される。この肖像メッセージ分冊１の外側の表面は、ノート作成者（自分）の性別に応じて、色彩等が異なる。エンディングノートの各頁１１〜２９には、自分の人生の教訓、上記自分の家族・子孫へのメッセージ情報、上記自分と交友のあった人へのメッセージ情報、金融資産、動産、不動産、無体物、相続に関する情報、自分の持ち物、自分の宝物、自分が大切にしてきた物達が記録される。【選択図】図１
2015074101.tif 000002
【特許請求の範囲】
【請求項１】
自分の人生の概略、自分の葬儀への希望、連絡してほしい人の情報を記録または収納するエンディングノートにおいて、
上記自分の性別に応じて、当該エンディングノートの色彩、模様または形状を異なる形態としたことを特徴とするエンディングノート。
【請求項２】
上記エンディングノートには、上記自分の葬儀で使用してほしい自分の肖像の画像情報を記録または収納する肖像部が設けられていることを特徴とする請求項１記載のエンディングノート。
【請求項３】
上記エンディングノートには、上記自分の葬儀で使用してほしいメッセージ情報を記録または収納する第一のメッセージ部が設けられていることを特徴とする請求項２記載のエンディングノート。
【請求項４】
上記エンディングノートには、自分の持ち物、自分の宝物または自分が大切にしてきたものについての情報を記録または収納する部分が設けられていることを特徴とする請求項３記載のエンディングノート。
【請求項５】
上記エンディングノートには、自分の持ち物、上記自分の宝物または上記自分が大切にしてきたものについての、パスワード情報、暗証番号情報、開錠情報、電子証明書を記録または収納する部分が、通常の肉眼では識別できない状況で設けられていることを特徴とする請求項４記載のエンディングノート。
【請求項６】
上記エンディングノートには、自分の手足の全部または一部の指の指紋の情報、掌紋の情報、手の平または足の裏の静脈の映像情報、自分の眼球の虹彩情報・網膜情報、自分の声紋情報、自分の顔画像情報、自分の遺伝子の全部または一部の情報、自分の体の３Ｄ（スリーディー）情報を記録または収納する部分が設けられていることを特徴とする請求項１記載のエンディングノート。
【請求項７】
上記エンディングノートには、自分の人生の教訓、自分の座右の銘、自分のモットー、自分のポリシー、先代の教え、家訓などの、自分の家族・子孫へのメッセージ情報、自分と交友のあった人へのメッセージ情報、健康保険、年金、生命保険、災害保険、貸金庫、貯金、預金、証券、金融資産、動産、不動産、有体物、無体物、相続に関する情報を記録または収納する第二のメッセージ部が設けられていることを特徴とする請求項２記載のエンディングノート。
【請求項８】
自分の人生の概略には、当該自分が叶えたことに関する情報、または当該自分が叶えられなかったことに関する情報が含まれることを特徴とする請求項１、６または７記載のエンディングノート。
【請求項９】
上記エンディングノートにおける上記各情報には、何があるのか、自分の希望、誰に譲るか、何処にあるか、いつ何処からまたは誰から取得したか、どのようなものかまたは入手した理由が含まれることを特徴とする請求項１、２、３、４、５、６、７または８記載のエンディングノート。
【請求項１０】
上記エンディングノートにおける上記各情報には、当該情報が収納または記録された年月日時分秒が含まれることを特徴とする請求項１、２、３、４、５、６、７、８または９記載のエンディングノート。
【発明の詳細な説明】
【技術分野】
【０００１】
本発明は、エンディングノートに関し、特に人生の終末に備えて種々の事項を記録しておくノート、メモ、遺言状、書状、書籍、雑誌、印刷物などに関する。
【背景技術】
【０００２】
近年、自分の人生に関する事項を書き留めて記録しておくエンディングノートが考えられてきている。このようなエンディングノートには、自分の人生の終活、自分の人生の概略、自分の葬儀への希望、子供、孫などの子孫へのメッセージ、写真、遺言など、種々の事項が記載される。
【０００３】
【特許文献１】特開２００８−１７３８５４号公報
【発明の開示】
【発明が解決しようとする課題】
【０００４】
本発明は、上述した課題を解決するためになされたものであり、本発明のエンディングノートの目的は、このようなエンディングノートをより有意義なものにしようというものである。
【課題を解決するための手段】
【０００５】
上記目的を達成するために、本発明のエンディングノートは、  自分の人生の概略、自分の葬儀への希望、連絡してほしい人の情報を記録または収納するエンディングノートにおいて、  上記自分の性別に応じて、当該エンディングノートの色彩、模様または形状を異なる形態とした。
【発明の効果】
【０００６】
これにより、自分の葬儀の執行において、性別を間違えることがなく、円滑に葬儀を行うことができ、また遺族も、エンディングノートが複数ある場合に、エンディングノートを取り違えることがなくなる。さらに、自分が亡くなるまえに、しておきたいことと、すでにしたことを整理しておくことができる。
【図面の簡単な説明】
【０００７】
【図１】エンディングノートの別冊／分冊の肖像メッセージ分冊１を示す。
【図２】エンディングノートの各頁１１〜２９を示す。
【符号の説明】
【０００８】
１…肖像メッセージ分冊、
２…肖像頁（肖像部）、３…枠台紙、
４…挿通口、５…肖像写真（肖像部）、
７…メッセージ頁（第一のメッセージ部）、
８…方形台紙、９…収納穴、
１０…メッセージ手紙（第一のメッセージ部）、
１１…中表紙、１２…目次の頁、
１３…かなえたいこれからの私の夢の頁（第二のメッセージ部）、
１４…私の事（自分史）の頁（第二のメッセージ部）、
１５…私の宝物  家族・大切な人への頁（第二のメッセージ部）、
１６…私の宝物  何かあれば連絡してほしい人の頁（第二のメッセージ部）、
１７…私の宝物についてのお願いの頁（第二のメッセージ部）
１８…家の事の頁（第二のメッセージ部）、
１９…大切にしてきた物達の事の頁（第二のメッセージ部）、
２０…私の持ち物についての頁（第二のメッセージ部）、
２１…保管場所・会社名・番号の控えの頁（第二のメッセージ部）、
２２…私の意識が無くなったり、判断ができなくなった時のお願いの頁（第二のメッセージ部）、
２３…心残りな事の頁（第二のメッセージ部）、
２４…旅立ちの儀式の希望の頁（第二のメッセージ部）、
２５…かなえた夢のお話の頁（第二のメッセージ部）、
２６…絆のあったあの人・この人に伝えたい感謝の頁（第二のメッセージ部）、
２７…メモの頁（第二のメッセージ部）、
２８…日付の頁（第二のメッセージ部）、
２９…遺伝子・指紋の頁（第二のメッセージ部）。
【発明を実施するための最良の形態】
【０００９】
（１）肖像メッセージ分冊１
図１は、エンディングノートの別冊／分冊の肖像メッセージ分冊１を示す。この肖像メッセージ分冊１は、厚紙の台紙が中央で二つ折りにして開閉とされて冊子状とされ、内側の片方の肖像頁２の表面には、方形枠板状の枠台紙３の三辺が接着され、この枠台紙３の上辺は接合されず、挿通口４となっている。
【００１０】
この挿通口４から肖像写真５などが入れられ、枠台紙３の枠内に当該肖像写真５が収納または記録される。この肖像写真５は、自分の葬儀で使用してほしい自分の肖像の画像情報が記録されている。この肖像写真５は、紙の表面に、当該画像情報が印刷されたものである。この肖像写真５は、挿通口４から別の写真に差し替え可能となっている。これにより、葬儀の遺影の写真に困ることがなくなる。
【００１１】
上記肖像メッセージ分冊１の内側の残りの片方のメッセージ頁７（第一のメッセージ部）の表面には、方形板状の方形台紙８が接着されている。この方形台紙８の中央やや下方には、楕円形の収納穴９が開けられ、この収納穴９の下方部分の方形台紙８は接着されていない。
【００１２】
この収納穴９から、封筒に入れられたまたはそのままのメッセージ手紙１０（第一のメッセージ部）が挿入されて収納または記録される。このメッセージ手紙１０には、自分の葬儀で使用してほしいメッセージ情報が記録されている。このメッセージ手紙１０は、便箋、その他の紙または樹脂シートに、手書きまたは印刷によってメッセージ文が記載されている。これにより、葬儀の挨拶内容に困ることがなくなる。
【００１３】
このようなメッセージ手紙１０は、全てまたは一部が電子化されてＣＤ−ＲＯＭなどの記憶媒体に記憶され、この記憶媒体はコンピュータによって読み取り可能であり、コンピュータに接続された表示装置に表示されたり、コンピュータに接続されたプリンタで印刷されてもよい。
【００１４】
また、このような電子化されたメッセージ手紙１０は、クラウドシステムなどによって、１つまたは複数のサーバー、その他のインターネット可能または通信可能な電子機器に集中または分散されて記憶されてもよい。このような電子データのパスワード、その他の開錠情報も当該エンディングノートに収納または記録される。
【００１５】
上記枠台紙３の枠内縁、または外縁、若しくは方形台紙８の収納穴９の内縁、または外縁は、Ｖカット、または傾斜のあるカットで高級感が醸し出される。この肖像メッセージ分冊１の外側の表面は、このエンディングノートを作成する上記「自分」の性別に応じて、色彩、模様または形状が異なる形態とされる。
【００１６】
例えば、性別が女性であれば、ピンク色などの明色系とされたり、花柄模様または花柄エンボスが印刷または形成されたり、性別が男性であれば紺色等の暗色系とされたり、背広・ネクタイ模様または背広・ネクタイエンボスが印刷または形成されたりする。
【００１７】
このような色彩、模様または形状は、他に市場のニーズに応じて、和風の書画のタイプ、ホップ柄などどのような形態でもよい。このような色彩、模様または形状は、以下のエンディングノートの各頁１１〜２９における色彩、模様または形状でも同様である。
【００１８】
このようなエンボス加工は、肖像メッセージ分冊１の表面に凹凸が形成されるが、これ以外に、肖像メッセージ分冊１の角が尖っているものと丸みを帯びているもの、上記枠台紙３の枠内縁の角または上記収納穴９の内縁の角が尖っているものと丸みを帯びているもので性別が区別されてもよい。
【００１９】
なお性同一障害の人については、本エンディングノートを作成する本人（上記「自分」及び下記「私」のこと。以下同じ）の希望によって、上述のいずれかが選択されるが、上述の中間または両方具備の色彩、模様、形状であってもよい。このことは次述するエンディングノートの各頁においても同じである。
【００２０】
（２）エンディングノート
図２は、エンディングノートの各頁１１〜２９を示す。中表紙１１の表面は、自分の性別に応じて、色彩、模様または形状が異なる形態とされる。例えば、性別が女性であれば、ピンク色などの明色系とされたり、花柄模様または花柄の透かしが印刷または形成されたり、性別が男性であれば紺色等の暗色系とされたり、背広・ネクタイ模様または背広・ネクタイの透かしが印刷または形成されたりする。
【００２１】
目次の頁１２には、エンディングノートの各頁の目次が記載されて記録されエンディングノート内に収納される。この各頁は次述するとおりである。かなえたいこれからの私の夢の頁１３には、「かなえたいこれからの私の夢」の表題が、頁の上縁に印刷され、その他模様などが印刷され、大部分は白紙となっている。
【００２２】
このかなえたいこれからの私の夢の頁１３（第二のメッセージ部）には、例えば自分がかなえたいこれからの夢が記載されて記録されエンディングノート内に収納される。したがって、エンディングノートとはいえ、夢と希望を持って、充実した、生きがいのあるように、残りの人生を生きる重要な意義を有する。これは、本件発明・考案の重要な意義であり、特に特化されるものである。
【００２３】
私の事（自分史）の頁１４（第二のメッセージ部）には、「私の事（自分史）」の表題と、これを解説する「生まれてから  これまでの私」「うれしかった事、頑張った事、自分を褒めたい事」などの解説文が、頁の上縁に印刷され、その他模様などが印刷され、大部分は白紙となっている。この私の事（自分史）の頁１４には、例えば自分の人生の概略・年表・出来事、例えば成功したこと、失敗したこと、家族間の人間性があらわれた出来事などが記載されて記録されエンディングノート内に収納される。
【００２４】
このような私の事（自分史）には、自分が過去に住んだ家の住所、画像、位置情報（ＧＰＳ情報）、先祖の墓の住所、この墓の位置情報（ＧＰＳ情報）、自分の両親の生まれ、育ち、自分の祖父母の生まれ、育ち、自分の先祖の生まれ、育ち、これら先祖の家の位置情報（ＧＰＳ情報）、これら先祖、現在の家族の性格、人間性の解説、自分または先祖の戸籍謄本または住民票、自分または先祖の家系図または系図なども含まれてもよい。
【００２５】
私の宝物  家族・大切な人への頁１５（第二のメッセージ部）には、「私の宝物  家族・大切な人へ」の表題が頁の上縁に印刷され、その他模様などが印刷され、大部分は白紙となっている。この私の宝物  家族・大切な人への頁１５には、自分の大事にしている宝物の情報と、この情報を伝えたい、または譲渡した家族・大切な人の氏名、住所、電話、メールアドレスなどが記載されて記録されエンディングノート内に収納される。
【００２６】
上記自分の大事にしている宝物の情報として、例えば自分の人生の教訓、自分の座右の銘、自分のモットー、自分のポリシー、先代の教え、家訓と、その意義・理由等の無体物・無体の財産の情報が、自分の家族・子孫へのメッセージ情報として記載されて記録されエンディングノート内に収納される。したがって、エンディングノートとはいえ、家族や子孫に、夢と希望を持って、充実した、生きがいのあるように、人生を生きてもらう重要な意義を有する。
【００２７】
私の宝物  何かあれば連絡してほしい人の頁１６（第二のメッセージ部）には、「私の宝物  何かあれば連絡してほしい人」の表題が頁の上縁に印刷され、その他模様などが印刷され、さらに氏名、住所、電話、メールアドレス、間柄（出会いの場・ひと言）などの項目を備えた欄が複数印刷されている。
【００２８】
したがって、この私の宝物  何かあれば連絡してほしい人の頁１６には、交友のあった人、何かあれば連絡してほしい人などの上記氏名などの情報が記載される。間柄（出会いの場・ひと言）には、どのような間柄と伝えてほしいメッセージなどが記載されて記録されエンディングノートなどの情報、これらの相続に関する情報が記載され記録されてエンディングノート内に収納される。
【００２９】
私の宝物についてのお願いの頁１７（第二のメッセージ部）には、「私の宝物についてのお願い」の表題と「財産（預金・証券・金融資産）」の副題が、頁の上縁に印刷され、その他模様などが印刷され、大部分は白紙となっている。
【００３０】
この私の宝物についてのお願いの頁１７には、自分の宝物または持ち物である、貯金、預金、証券、知的財産権、有価証券、債券などの金融資産などの動産・無体物の名称、項目、金額、時価、購入価格、入手経緯、入手年月日時分秒、画像などの情報、これらの相続に関する情報が記載され記録されてエンディングノート内に収納される。
【００３１】
家の事の頁１８（第二のメッセージ部）には、「家の事」の表題と、「不動産など」の副題が、頁の上縁に印刷され、その他模様などが印刷され、大部分は白紙となっている。この家の事の頁１８には、自分の持ち物または自分の宝物である、土地、家屋、マンション、土地借地権、船舶、航空機、鉱業権などの不動産の名称、項目、金額、時価、購入価格、入手経緯、入手年月日時分秒、画像などの情報、これらの相続に関する情報が記載されて記録されエンディングノート内に収納される。
【００３２】
大切にしてきた物達の事の頁１９（第二のメッセージ部）には、「大切にしてきた物達の事」の表題と、「不動産など」の副題が、頁の上縁に印刷され、その他模様などが印刷され、大部分は白紙となっている。この大切にしてきた物達の事の頁１９には、自分の持ち物または自分の宝物である、自分が大切にしてきた物、または収集してきた物の名称、項目、金額、時価、購入価格、入手経緯、入手年月日時分秒、画像などの情報、これらの相続に関する情報が記載され記録されてエンディングノート内に収納される。
【００３３】
自分が大切にしてきた物、または収集してきた物とは、例えば電気製品、車両、骨董品、貴金属、宝石、宝玉、遊戯品、切手、チケット、古銭、紙幣、貨幣、フィギア、映像媒体、音楽媒体、玩具、カード、古書、書籍などの印刷物などのほか、身に着けていた眼鏡、入れ歯、コンタクトレンズ、補聴器、かつら、義足、義手、杖など身につけていたものなどである。
【００３４】
私の持ち物についての頁２０（第二のメッセージ部）には、「私の持ち物について」の表題と、「ゆずりたい人・処分方法など」の副題が、頁の上縁に印刷され、その他模様などが印刷され、大部分は白紙となっている。この私の持ち物についての頁２０には、自分の持ち物または自分の宝物について、ゆずりたい人の氏名、連絡先などと、処分方法などの情報、これらの相続に関する情報が記載され記録されてエンディングノート内に収納される。この私の持ち物は、上記自分が大切にしてきた物、または収集してきた物などである。
【００３５】
保管場所・会社名・番号の控えの頁２１（第二のメッセージ部）には、「保管場所・会社名・番号の控え」の表題と、「保険証、生命保険・カードなど」の副題が、頁の上縁に印刷され、その他模様などが印刷され、大部分は白紙となっている。
【００３６】
この保管場所・会社名・番号の控えの頁２１には、自分の持ち物または自分の宝物である、健康保険関係、年金手帳等の年金関係、生命保険証書などの生命保険関係、事故・災害保険関係、その他の保険関係、貸し金庫、キャッシュカード、クレジットカードなどの金融資産関係のカード関係、パソコン・その他の記憶媒体に記憶された暗号化された情報・秘密情報についての保管場所、会社名、番号、鍵などの情報、これらの相続に関する情報が記載され記録されてエンディングノート内に収納される。
【００３７】
この保管場所・会社名・番号の控えの頁２１には、場合によって、パスワード情報、暗証番号情報、開錠情報、上記暗号化の解読情報、電子証明書、隠し場所、保管場所、カードの隠し場所等の情報、これらの相続に関する情報が記載され記録されてエンディングノート内に収納される。この場合、これらの情報は、紫外線など特殊な光線が照射されたときのみ、または特殊な光のみ透光させるフィルタシートが上に乗せられたときのみに、可視化される特殊なインクで記載される。
【００３８】
または、非常に小さい文字で印刷され、拡大鏡で拡大されたときのみに可視化されたり、ホログラムで印刷され、特定の方向から見たときのみ可視化される。これにより、これらの情報は、通常の可視光線下で肉眼で可視化されて識別・判別できない。これは、万が一、このエンディングノートが渡したくない人に渡った時に容易に解読されないためである。
【００３９】
私の意識が無くなったり、判断ができなくなった時のお願いの頁２２（第二のメッセージ部）には、「私の意識が無くなったり、判断ができなくなった時のお願い」の表題と、「延命について・病歴・かかりつけ医・介護」の副題が、頁の上縁に印刷され、その他模様などが印刷され、大部分は白紙となっている。
【００４０】
この私の意識が無くなったり、判断ができなくなった時のお願いの頁２２には、自分の意識が無くなったり、判断ができなくなった時のお願いが記載され、延命について、病歴、かかりつけ医、介護、重篤な病気を本人（自分）に告知するかどうか、献体の意思、臓器または生体の一部の移植の意思などについての希望、経緯などが記載され記録されてエンディングノート内に収納される。
【００４１】
心残りな事の頁２３（第二のメッセージ部）には、「心残りな事」の表題が、頁の上縁に印刷され、その他模様などが印刷され、大部分は白紙となっている。この心残りな事の頁２３には、自分がこれまでに実行しようと思っていてできなかったことが記載され、例えば以前あの時に………したかったができなかったことや、経済的理由やその他の理由でしてやれなかったことや、購入できなかったものなど、自分が叶えられなかったことに関する情報が記載され記録されてエンディングノート内に収納される。これにより、エンディングノートを読んだ人と本人（自分）との強い絆がつくられ、残された者の生きる励ましとなる。
【００４２】
旅立ちの儀式の希望の頁２４（第二のメッセージ部）には、「旅立ちの儀式の希望」の表題が、頁の上縁に印刷され、その他模様などが印刷され、大部分は白紙となっている。この旅立ちの儀式の希望の頁２４には、自分の葬儀への希望、例えば納棺師の有無、散骨希望、どのような散骨か、密葬希望、親族のみの葬儀、火葬場と葬儀会場の関係、希望の葬儀会社、社葬希望、お別れの会の希望、献花・香典の希望などが記載され記録されてエンディングノート内に収納される。
【００４３】
かなえた夢のお話の頁２５（第二のメッセージ部）には、「かなえた夢のお話」の表題が、頁の上縁に印刷され、その他模様などが印刷され、大部分は白紙となっている。このかなえた夢のお話の頁２５には、自分がこれまでに実行して達成できたことなどが記載され、例えば以前あの時に………できたことや、貧乏でも………ができたことや、苦労して購入できたものなど、自分が叶えたことに関する情報が記載され記録されてエンディングノート内に収納される。これにより、エンディングノートを読んだ人と本人（自分）との強い絆がつくられ、残された者の生きる励ましとなる。
【００４４】
絆のあったあの人・この人に伝えたい感謝の頁２６（第二のメッセージ部）には、「絆のあったあの人・この人に伝えたい感謝」の表題が、頁の上縁に印刷され、その他模様などが印刷され、大部分は白紙となっている。この絆のあったあの人・この人に伝えたい感謝の頁２６には、感謝、お礼、教訓、人生教訓などの内容と、伝えたい人の氏名・連絡先などが記載され記録されてエンディングノート内に収納される。
【００４５】
メモの頁２７（第二のメッセージ部）には「メモ」の表題が、頁の上縁に印刷され、その他模様などが印刷され、大部分は白紙となっている。このメモの頁２７には、これまでの頁１３〜２６で記載できなかったこと、その他のメモなどが記載され記録されてエンディングノート内に収納される。
【００４６】
日付の頁２８（第二のメッセージ部）には、書き始めの年月日の欄、複数の更新日の年月日の欄、相談した人・機関の欄、一番に渡したい人の欄、自分（本人、私）の氏名、本籍、住所、電話、携帯電話番号、メールアドレスの欄が印刷され、さらに「エンディングノートは、遺言書とは性質が異なります。このノートの内容を有効にするために、弁護士さんや専門機関との相談が大切です。」の注意書きが印刷されている。この日付の頁２８には、これらの各欄につき、本人（自分)によって該当事項が記入され記録されてエンディングノート内に収納される。
【００４７】
遺伝子・指紋の頁２９（第二のメッセージ部）には、「遺伝子・指紋」の表題が、頁の上縁に印刷され、その他模様などが印刷され、大部分は白紙となっている。この遺伝子・指紋の頁２９には、自分の手足の全部または一部の指の指紋の情報、掌紋の情報、手の平または足の裏の静脈の映像情報、自分の眼球の虹彩情報・網膜情報、自分の声紋情報、自分の顔画像情報、自分の遺伝子の全部または一部の情報、自分の体の３Ｄ（スリーディー）情報が記録されてエンディングノート内に収納される。
【００４８】
この指紋の情報は、指にインクを付けて転写したり、スキャナで読み取られて画像情報として記録される。掌紋の情報、手の平または足の裏の静脈の映像情報、自分の眼球の虹彩情報・網膜情報、自分の顔画像情報は、手の平、足の裏、眼球、顔がスキャナで読み取られてそのまままたは解析されて画像情報として記録される。声紋情報は、自分の音声が音声解析装置に取り込まれて周波数帯域と音声振幅と時間経過などが解析されて記録される。
【００４９】
遺伝子（ＤＮＡ）情報は、自分の全ての染色体の遺伝子（ＤＮＡ）の塩基配列（シークエンス）の情報が記録される。このような塩基配列（シークエンス）の情報は、例えば自動のＤＮＡシークエンサーによって、電気泳動からクロマトグラムまで出力される。この塩基配列の遺伝子情報は印刷してもよいが、膨大であるため、電子記憶媒体に記憶され、遺伝子・指紋の頁２９の袋（図示せず）内に収納される。
【００５０】
自分の体の３Ｄ（スリーディー）情報は、３Ｄ（スリーディー）解析機によって、自分の体の全部または一部の三次元立体データが解析され、この３Ｄ情報は膨大であるため、電子記憶媒体に記憶され、遺伝子・指紋の頁２９の袋（図示せず）内に収納される。この３Ｄ情報によって３Ｄプリンタで、自分の立体物が任意の縮尺で製造できる。
【００５１】
同様に、上記自分の手足の全部または一部の指の指紋の情報、掌紋の情報、手の平または足の裏の静脈の映像情報、自分の眼球の虹彩情報・網膜情報、自分の声紋情報、自分の顔画像情報も、この電子記憶媒体に記憶されてもよい。
【００５２】
このような電子記録であれば、上述の入手・取得の時の年月日時分秒がプロパティ内に記憶されており、この年月日時分秒の情報が、記録または収納されるし、さらにエンディングノートに記録・収納されるときに、更新年月日時分秒の情報としてプロパティ内に記憶される。
【００５３】
このエンディングノートの各頁１１〜２９（第二のメッセージ部）の表面または裏面の色は、上記「自分」の性別に応じて、色彩、模様または形状が異なる形態とされる。例えば、性別が女性であれば、ピンク色などの明色系とされたり、花柄模様または花柄透かしが印刷または形成されたり、性別が男性であれば紺色等の暗色系とされたり、背広・ネクタイ模様または背広・ネクタの透かしが印刷または形成されたりする。
【００５４】
このようなエンディングノートの各頁１１〜２９の透かしは、エンディングノートの各頁１１〜２９表面に凹凸が形成されるエンボス加工でもよく、これ以外に、エンディングノートの各頁１１〜２９の角が尖っているものと丸みを帯びているもので性別が区別されてもよい。
【００５５】
上記エンディングノートは綴じこみ式でもよいし、加除式でもよい。また、末尾には、削除したもののみの頁が記録として閉じられてもよいし、上述のエンディングノートの各頁１１〜２９の各頁の頁数は複数でも単数でもよく、これらの各頁は増減可能であってもよい。
【００５６】
以上のように、エンディングノートの上述の情報は、何があるのか、自分の希望、誰に譲るか、何処にあるか、いつ何処からまたは誰から取得したか、どのようなものかまたは入手した理由が含まれることになる。なお、このようなエンディングノートは、上記宝物は、今までの人生を示し、対応しまたは相関し、上記夢は、これからの人生を示し、対応しまたは相関し、旅立ちのときは、感謝を伝えるときを示し、対応しまたは相関している。
【００５７】
（３）本件エンディングノートの特徴
項目を大まかに区切ってあることにより、自由に書き記すことができる。女性版・男性版と分けることで自分らしさを表現しやすい導きがある。いつでも、夢を、未来を、意織することで前向きに書き記す事が期待できる。お気に入り（いちばん自分らしい素敵な）写真をいつでも交換しながら保管でき、万が一の時は引きのばしたりして飾ることができる。自分がいない揚所でも感謝や思いを伝える方法として、あらかじめ害いた手紙などを大切に保管できる。以上の特徴が最小限のアイテムにおさめられている。
【００５８】
本エンディングノートは、遺影前撮り写真台紙付であり、ここ数年、万が一に備え、元気なうちに、いろいろご準備する事に低抗が少なくなり、むしろ、もしもに傭える終活を積極的にする傾向もみられる。そのような終活などに役立つのがエンディングノートである。一冊のノートにいわゆる私を書き込む時、伝えておきたい事、指示しておきたいことなど、事務的なことがとかく多くなりがちになり、ふと、自分の人生はなんだったのだろう、ただ終わりへの道を突き進むための道標なんて虚しい、などと言う思いがこみ上げてきがちである。
【００５９】
人は万が一、余命という言葉にふれた時、死ぬまでにやり残したことがおる、あの場所に行ってみたい、あの人に会いたい、冒険だがやってみたかったことがあるなど、むしろ「夢」につながるいくつかを思い浮かべると思う。気がかりな事を書きしるしながら、そういったひとつひとつをお伝えおいた後には、そんな夢をかなえてみたい。
【００６０】
かなえるには、自分にはこのノートに書いた、絆・宝物がたくさんあるという、自信が芽生えるのではないかと思われる。終わりを見つめると、夢が見えてくる。書き進めると、夢をかなえる力が湧いてくる。という気持ちを大切に編集したノートである。そういった趣旨をアピールするため、ＭＹＤＲＥＡＭを商標登録する。
【００６１】
また、私という生きた証の姿をぜひ残しておいていただきたいという願いから、写真台紙もセット提案をした。旅立ちの儀式には、どの写真こしたらいいのか、特に予測しない事態にまわりがあわててご本人のイメージと違う写真を選んでしまうということはよくあることである。ご本人が自信をもって選ばれた、輝く笑頗感謝の気持ちでほほ笑むお韻はきっと皆さんの心に響く事である。
【００６２】
お顔・お姿は人生そのもの、その人そのものです。これが私という、肖像写冥をときおり眺めるのも生きる力になります。とかく少しデリケートに暗く考えがちな事を、明るくパワーに変えようというのが、この企画のはじまりです。そして女性・男性では微妙に書き方や内容が違うということに着目し、より自分自身を語りやすくするため、女性版・男性版とベースを分けることにしました。
【００６３】
個人の方はもとより、葬儀関係の方には、事前のお打ち合わせを、明るく進めるため、保険・金融関係の方には、相続などの解決の手段や、まだまだやりたいことのための運用の相談の資料に、遺言書を書きやすくするアイテムとして、終活セミナーなどに活用していただける。
【００６４】
以上のエンディングノートは、事務的な仕分けや、活字を極力少なくし、大まかな誘導的区分けにとどめ、本人（自分）にも家族を含む他人にもわかりやすくなっている。そして、自分の言葉で書くという行為を手伝い、より個性を凝縮して、分身化でき、このため、愛着度も高くなり、第三者からみても、その人なりがよくわかり、味気ないとか、虚しいといった感性から避けることができる。
【００６５】
（４）他の実施の形態
本発明は、上記実施例に限定されず、種々変更可能である。例えば、上記エンディングノートは、紙ではなく、その一部または全部が、樹脂、金属、木材、布等の材質でもよいし、その一部または全部が、金庫、パソコン、ハードディスク、小型のメモリ、ホログラム、上記情報を記録または収納できれば、どのような材質・形態でもよい。
【００６６】
上記エンディングノートの全てまたは一部が電子化されて記憶媒体に記憶され、この記憶媒体はコンピュータによって読み取り可能であり、コンピュータに接続された表示装置に表示されたり、コンピュータに接続されたプリンタで印刷されてもよい。
【００６７】
また、このような電子化されたデータは、クラウドシステムなどによって、１つまたは複数のサーバー、その他のインターネット可能または通信可能な電子機器に集中または分散されて記憶されてもよい。このような電子データのパスワード、その他の開錠情報も当該エンディングノートに収納または記録される。
【００６８】
私の事（自分史）の頁１４には、自分の年表や、自分の日記の保管場所の情報が記載されたり、自分の日記の電子データを記憶した記憶媒体が収納されて、私の事（自分史）の情報そのものではなく、この情報の存在関係の情報で代用されてもよい。
【００６９】
上記画像には、写真のような静止画像のほか、ビデオのような動画像も含めてもよいし、アルバムのような多数の写真、またはアルバムの保管場所とその説明などを含めてもよい。上記連絡してほしい人には、家族、親戚、自分と交友のあった友人、国内外を問わない。上記家族は、数親等以内の親族または姻族、養子などが含まれる。
【００７０】
上記私の宝物、大切にしてきた物達、私の持ち物には、ペットも含まれ、このペットには、犬、猫などの哺乳類、鳥類、爬虫類、両生類、魚類、貝類、昆虫、その卵などの動物のほか、植木、草花、その種子、藻類などの植物も含まれ、さらにはこれらの遺伝子そのものまたは遺伝子情報も含まれる。この上記私の宝物、大切にしてきた物達、私の持ち物には、自分が研究または創作してきた、研究成果、論文、執筆物、著作物、画像、絵画、音楽楽譜、音楽データ、書画なども含まれる。
【００７１】
上記保管場所、隠し場所などの「場所」には、位置情報（ＧＰＳ情報）が含まれてもよく、この位置は国内外を問わない。このようなエンディングノートは、家族のある本人（自分）のほか、身寄りのない孤独な本人（自分）でも作成され得る。身寄りのない孤独な本人（自分）が亡くなったときには、整理屋の負担が少なくなる。
【００７２】
上記肖像メッセージ分冊１、肖像頁２、枠台紙３、挿通口４、肖像写真５、メッセージ頁７、方形台紙８、収納穴９、メッセージ手紙１０、中表紙１１、目次の頁１２、かなえたいこれからの私の夢の頁１３、私の事（自分史）の頁１４、私の宝物  家族・大切な人への頁１５、私の宝物  何かあれば連絡してほしい人の頁１６、私の宝物についてのお願いの頁１７、家の事の頁１８、大切にしてきた物達の事の頁１９、私の持ち物についての頁２０、保管場所・会社名・番号の控えの頁２１、私の意識が無くなったり、判断ができなくなった時のお願いの頁２２、心残りな事の頁２３、旅立ちの儀式の希望の頁２４  かなえた夢のお話の頁２５、絆のあったあの人・この人に伝えたい感謝の頁２６、メモの頁２７、日付の頁２８、遺伝子・指紋の頁２９の一部または全体は省略されてもよいし、その数が増えても減ってもよいし、その形状は任意に変更可能であり、均等の他の物に置き換えられてもよいし、これらの２つまたは３つ以上が合体または一体化されて兼用されてもよいし、他のものがさらに付加・積層・混合されてもよいし、それぞれの寸法は上記以外でもよいし、それぞれの寸法の相対的大小は切り換えられてもよいし同じでもよいし、その材質は紙のほか、樹脂製、金属製、木製、集成材製、合成材製、合板製、表面に化粧紙が接着されたもの、竹製、樹脂製、ガラス製、綿製、布製、糸製、繊維製、ゴム製、紙製、セラミック製、カーボン製、硬質ウレタン製、これらの合成物製／混合物製／多層積層物製でもよい。
【００７３】
（５）他の発明の効果
［１］自分の人生の概略、自分の葬儀への希望、連絡してほしい人の情報を記録または収納するエンディングノートにおいて、  上記自分の性別に応じて、当該エンディングノートの色彩、模様または形状を異なる形態としたことを特徴とするエンディングノート。
【００７４】
［２］上記エンディングノートには、上記自分の葬儀で使用してほしい自分の肖像の画像情報を記録または収納する肖像部が設けられていることを特徴とする請求項１記載のエンディングノート。これにより、葬儀のときの遺影に最適な写真をあらかじめ用意し、突然の葬儀でも困ることがない。
【００７５】
［３］上記エンディングノートには、上記自分の葬儀で使用してほしいメッセージ情報を記録または収納する第一のメッセージ部が設けられていることを特徴とする請求項２記載のエンディングノート。これにより、葬儀のときの挨拶などに最適な内容をあらかじめ用意し、突然の葬儀でも困ることがない。
【００７６】
［４］上記エンディングノートには、自分の持ち物、自分の宝物または自分が大切にしてきたものについての情報を記録または収納する部分が設けられていることを特徴とする請求項３記載のエンディングノート。これにより、残された遺族、整理屋などが、持ち物または宝物について、見落とすことがなく、迷わないで整理することができる。
【００７７】
［５］上記エンディングノートには、上記自分の持ち物、上記自分の宝物または上記自分が大切にしてきたものについての、パスワード情報、暗証番号情報、開錠情報、電子証明書を記録または収納する部分が、通常の肉眼では識別できない状況で設けられていることを特徴とする請求項４記載のエンディングノート。これにより、残された遺族、整理屋などが、自分の持ち物または宝物の中身・内容を確認できなくなって迷ってしまったり、中身・内容について不明のままとなってしまったりすることがなくなる。
【００７８】
［６］上記エンディングノートには、自分の手足の全部または一部の指の指紋の情報、掌紋の情報、手の平または足の裏の静脈の映像情報、自分の眼球の虹彩情報・網膜情報、自分の声紋情報、自分の顔画像情報、自分の遺伝子の全部または一部の情報、自分の体の３Ｄ（スリーディー）情報を記録または収納する部分が設けられていることを特徴とする請求項１記載のエンディングノート。
【００７９】
これにより、残された遺族、整理屋などが、これらの情報の認証が必要な自分の持ち物または宝物の中身・内容を確認できなくなって迷ってしまったり、中身・内容について不明のままとなってしまったりすることがなくなる。さらに、死後、自分の立体像を作ってもらったり、パソコン、その他の電子データを開錠できたり、遺伝子研究に役立ったり、子孫の遺伝子解析及び健康管理に役立つ。
【００８０】
［７］上記エンディングノートには、自分の人生の教訓、自分の座右の銘、自分のモットー、自分のポリシー、先代の教え、家訓などの、自分の家族・子孫へのメッセージ情報、自分と交友のあった人へのメッセージ情報、健康保険、年金、生命保険、災害保険、貸金庫、貯金、預金、証券、金融資産、動産、不動産、有体物、無体物、相続に関する情報を記録または収納する第二のメッセージ部が設けられていることを特徴とする請求項２記載のエンディングノート。
【００８１】
これにより、エンディングノートとはいえ、家族や子孫に、夢と希望を持って、充実した、生きがいのあるように、人生を生きてもらうことができるし、夢と希望を持って、充実した、生きがいのあるように、残りの人生を生きることができる。さらに、残された遺族・相続人が、財産相続、遺族年金、生命保険受領、見舞金などにつき、不便が生じない。
【００８２】
［８］自分の人生の概略には、当該自分が叶えたことに関する情報、または当該自分が叶えられなかったことに関する情報が含まれることを特徴とする請求項１、６または７記載のエンディングノート。これにより、叶えた夢と心残りな事とを整理して、残りの人生を、充実して生きがいのあるように生きることができる。
【００８３】
［９］上記エンディングノートにおける上記各情報には、何があるのか、自分の希望、誰に譲るか、何処にあるか、いつ何処からまたは誰から取得したか、どのようなものかまたは入手した理由が含まれることを特徴とする請求項１、２、３、４、５、６、７または８記載のエンディングノート。これにより、残された遺族、整理屋などが、自分の持ち物または宝物の処分方法を容易に確認できる。
【００８４】
［１０］上記エンディングノートにおける上記各情報には、当該情報が収納または記録された年月日時分秒が含まれることを特徴とする請求項１、２、３、４、５、６、７、８または９記載のエンディングノート。これにより、エンディングノートの時間的経緯を知ることができ、相続などにも無用の紛争を生じない。
【産業上の利用可能性】
【００８５】
エンディングノートを性別に応じて異なる色彩等として、円滑に葬儀を行う。肖像メッセージ分冊１の内側の片方の面には枠台紙３が接合され、上縁の挿通口４から、自分の葬儀で使用してほしい、肖像写真５などが入れられて収納される。残りの片方の面には、楕円形の収納穴９が開いた方形台紙８が接合され、この収納穴９には、自分の葬儀で朗読してほしいメッセージ手紙１０が収納される。
【００８６】
この肖像メッセージ分冊１の外側の表面は、ノート作成者（自分）の性別に応じて、色彩等が異なる。エンディングノートの各頁１１〜２９には、自分の人生の教訓、上記自分の家族・子孫へのメッセージ情報、上記自分と交友のあった人へのメッセージ情報、金融資産、動産、不動産、無体物、相続に関する情報、自分の持ち物、自分の宝物、自分が大切にしてきた物達が記録される。
【図１】
2015074101.tif 000003
【図２】
2015074101.tif 000004